(57)【要約】【課題】玄関土間に置かれた履物から生じる臭気を脱臭し、玄関内の悪臭の発生を抑制することができる玄関の脱臭構造を提供すること。【解決手段】玄関１内の玄関土間２から立ち上がって形成された上がり口３の玄関土間２側端部３ａにほぼ水平に上がり框４を設け、この上がり框４の下側に、玄関土間２に臨む吸気開口（吸気口）１４及び排気開口（排気口）１５を有すると共に、脱臭フィルタ（脱臭部材）１２を内蔵した脱臭装置１０を設けた。【選択図】図１
2007092288.tif 000002
【特許請求の範囲】
【請求項１】
玄関土間から立ち上がって形成された上がり口の玄関土間側端部にほぼ水平に上がり框を設け、該上がり框の下側に、前記玄関土間に臨む吸気口及び排気口を有すると共に、脱臭部材を内蔵した脱臭装置を設けたことを特徴とする玄関の脱臭構造。
【請求項２】
前記吸気口及び前記排気口は、前記上がり框の玄関土間側端部よりも内側に位置していることを特徴とする請求項１に記載の玄関の脱臭構造。
【請求項３】
前記吸気口及び前記排気口が、互いにほぼ水平方向に沿って隣接して設けられると共に、前記脱臭装置内に送風ファンを設け、
該送風ファンによって、前記吸気口から吸い込まれた空気が、前記上がり框の下側をほぼ水平方向に移動して前記脱臭部材を通過し、前記排気口から排出されることを特徴とする請求項１又は２に記載の玄関の脱臭構造。
【請求項４】
前記吸気口は、プレ脱臭部材によって覆われたことを特徴とする請求項１〜３のいずれか一項に記載の玄関の脱臭構造。
【請求項５】
前記脱臭部材は、活性炭フィルタによって形成されていることを特徴とする請求項１〜４のいずれか一項に記載の玄関の脱臭構造。
【発明の詳細な説明】
【技術分野】
【０００１】
本発明は、建物の玄関内に生じた臭気を脱臭する玄関の脱臭構造に関するものである。
【背景技術】
【０００２】
従来から、玄関に取付けられた下駄箱内に生じる悪臭を消臭するために、この下駄箱の内部に消臭機能を設けた消臭機能付き玄関収納下駄箱が知られている（例えば、特許文献１参照）。
【０００３】
また、下駄箱内に設けた換気装置によって下駄箱内の空気を入れ換えることで、この下駄箱内に生じた悪臭を排出する換気機能付き下駄箱も知られている（例えば、特許文献２参照）。
【０００４】
さらに、玄関土間を格子状部材によって覆うと共に、この格子状部材の下側に脱臭剤を敷設した玄関構造も知られている（例えば、特許文献３参照）。
【特許文献１】特開２００２−１５９３５４
【特許文献２】特開２００５−１６０６７４
【特許文献３】特開２００３−３４３０７４
【発明の開示】
【発明が解決しようとする課題】
【０００５】
ところで、下駄箱の内部に消臭機能を設けた消臭機能付き下駄箱や、下駄箱内部に換気装置を設けた換気機能付き下駄箱では、下駄箱内の悪臭の発生を抑制するだけであり、玄関土間に置かれた履物等の臭いは解消することができなかった。
【０００６】
特に、換気機能付き下駄箱では、下駄箱内の臭気が玄関土間に向かって排出されることがあり、玄関内の悪臭を増加させてしまうおそれがあった。
【０００７】
一方、玄関土間を覆う格子状部材の下側に脱臭剤を敷設した玄関構造では、格子状部材上に履物が置かれることとなる。つまり、脱臭剤の上方に履物が位置することとなる。
【０００８】
そのため、履物から上方に向う臭気を効率よく脱臭することができず、玄関内に生じる臭気を十分に脱臭できないという問題があった。
【０００９】
そこで、この発明は、玄関土間に置かれた履物から生じる臭気を脱臭し、玄関内の悪臭の発生を抑制することができる玄関の脱臭構造を提供することを目的としている。
【課題を解決するための手段】
【００１０】
上記課題を解決するために、請求項１に記載の発明にかかる玄関の脱臭構造は、玄関土間から立ち上がって形成された上がり口の玄関土間側端部にほぼ水平に上がり框を設け、該上がり框の下側に、前記玄関土間に臨む吸気口及び排気口を有すると共に、脱臭部材を内蔵した脱臭装置を設けたことを特徴としている。
【００１１】
請求項２に記載の発明は、請求項１に記載の玄関の脱臭構造において、前記吸気口及び前記排気口は、前記上がり框の玄関土間側端部よりも内側に位置していることを特徴としている。
【００１２】
請求項３に記載の発明は、請求項１又は２に記載の玄関の脱臭構造において、前記吸気口及び前記排気口が、互いにほぼ水平方向に沿って隣接して設けられると共に、前記脱臭装置内に送風ファンを設け、該送風ファンによって、前記吸気口から吸い込まれた空気が、前記上がり框の下側をほぼ水平方向に移動して前記脱臭部材を通過し、前記排気口から排出されることを特徴としている。
【００１３】
請求項４に記載の発明は、請求項１〜３のいずれか一項に記載の玄関の脱臭構造において、前記吸気口は、プレ脱臭部材によって覆われたことを特徴としている。
【００１４】
請求項５に記載の発明は、請求項１〜４のいずれか一項に記載の玄関の脱臭構造において、前記脱臭部材は、活性炭フィルタによって形成されていることを特徴としている。
【発明の効果】
【００１５】
本願請求項１の発明によれば、脱臭装置を上がり框の下側に設けたので、玄関土間に置かれた履物と脱臭装置の吸気口及び排気口とを、ほぼ水平（同じ高さ）に位置させることができる。
【００１６】
これにより、玄関土間に置かれた履物から生じる臭気を玄関内に拡散する前に吸い込んで、効率よく脱臭することが可能となり、玄関内の悪臭の発生を抑制することができる。
また、脱臭装置の吸気口及び排気口が玄関土間に臨んでいるので、臭気の発生源である履物近傍に脱臭装置が位置することとなり、玄関土間にある履物から生じる臭気をすぐに脱臭することができて、脱臭効率の向上を図ることができる。
【００１７】
さらに、脱臭装置を上がり框の下側に配置することで、脱臭装置を目立たなくすることができて、玄関のデザインの自由度を阻害することがない。
【００１８】
本願請求項２の発明によれば、請求項１の効果に加え、脱臭装置の吸気口及び排気口を上がり框の玄関土間側端部よりも内側に位置させたので、脱臭装置をさらに目立たなくすることができ、玄関の外観品質の向上を図ることができる。
【００１９】
本願請求項３の発明によれば、請求項１又は２の効果に加え、送風ファンによって吸気口から吸い込まれた空気は、脱臭部材を通過した後に、水平方向に移動して排気口から排出されることとなる。
【００２０】
そのため、玄関内の空気を積極的に吸い込んで脱臭することができ、玄関内に空気が滞留することがなくなる。これにより、玄関内の空気を効率よく移動させながら脱臭することができ、脱臭効率をさらに向上させることができる。
【００２１】
また、吸い込んだ空気が水平方向に移動するので、脱臭装置の高さを低く設定することができ、この脱臭装置を玄関土間と上がり框との間に生じる空間に十分納めることが可能となる。
【００２２】
本願請求項４の発明によれば、請求項１〜３の効果に加え、吸気口がプレ脱臭部材によって覆われているので、臭気が吸気口を通過する際にプレ脱臭部材によって脱臭されてから、脱臭装置内部の脱臭部材によって脱臭されることとなる。
【００２３】
これにより、脱臭装置の脱臭力を強化することが可能となり、さらに強力に脱臭することができる。
【００２４】
本願請求項５の発明によれば、請求項１〜４の効果に加え、脱臭部材が活性炭フィルタによって形成されることにより、履物から生じる臭気を高い吸着率で脱臭することができて脱臭力の強化を図ることができると共に、メンテナンスを容易に行なうことが可能となる。
【発明を実施するための最良の形態】
【００２５】
次に、図面に基づいて、この発明を実施するための最良の実施の形態の玄関の脱臭構造を説明する。
【００２６】
図１において、１は建物の出入口内に設けられる玄関であり、玄関土間２と、この玄関土間２から立ち上がって形成された上がり口３と、この上がり口３の玄関土間２側の端部３ａにほぼ水平に位置する上がり框４とを有している。
【００２７】
この上がり框４は、玄関土間２の上方に突出しており、この上がり框４と玄関土間２との間には空間が形成されている。
【００２８】
さらに、玄関土間２内には、一方の壁面に沿って履物入れ等の収納装置５が設けられている。
【００２９】
そして、玄関土間２と上がり框４との間に形成された空間内には、脱臭装置１０が配置されている。
【００３０】
この脱臭装置１０は、図３に示すように、筐体である装置本体１１と、この装置本体１１に内蔵された脱臭部材である脱臭フィルタ１２と、装置本体１１内に区画形成されたファン室１３ａ内に設けられた送風ファン（循環ファン）１３とを有している。
【００３１】
装置本体１１は、玄関土間２と上がり框４との間に嵌り込む大きさに形成された長方形状の筐体である。この大きさは、ここでは横幅１０００ｍｍ、奥行き２００ｍｍ、高さ１４０ｍｍとなっている。
【００３２】
そして、装置本体１１の玄関土間２側に面した側面には、吸気開口（吸気口）１４及び排気開口（排気口）１５が形成されている。
【００３３】
この吸気開口１４と排気開口１５とは、ほぼ水平方向に沿って隣接配置され、吸気開口１４から吸い込まれた空気が、上がり框４の下側をほぼ水平方向に移動し、排気開口１５から排出されるようになっている。
【００３４】
吸気開口１４及び排気開口１５には、それぞれガラリ１４ａ、１５ａが取り付けられている。さらに、吸気開口１４に取り付けられたガラリ１４ａは、プレ脱臭装置であるプレフィルタ１２Ａによって覆われている。
【００３５】
また、この吸気開口１４及び排気開口１５は、図２（ａ）、（ｂ）に示すように、上がり框４の玄関土間２側端部３ａよりも内側に位置している。つまり、上がり框４は、吸気開口１４及び排気開口１５の上方に庇状に突出している。
【００３６】
脱臭フィルタ１２は、活性炭フィルタによって形成されており、吸気開口１４と排気開口１５とを連通する風路１６をふさぐように設けられている。
【００３７】
送風ファン１３は、モータを内蔵しており、このモータの回転駆動によって羽を回転させ、空気を吸い込んだ後に排出するものである。
【００３８】
ファン室１３ａには、風路１６に連通する図示しない開口が形成されており、この開口と送風ファン１３の吸込口（図示せず）とが対向している。また、送風ファン１３の図示しない排出口は、排気開口１５に対向している。
【００３９】
これにより、送風ファン１３の吸込口から吸い込まれた風路１６中の空気は、送風ファン１３を通過して排出口から排出され、排気開口１５から玄関１内へと排出される。
【００４０】
次に、この発明の玄関の脱臭構造の作用について説明する。
【００４１】
図２に示すように、玄関土間２上に多数の履物Ｈが置かれると、この履物Ｈから臭気が発生する。
【００４２】
このとき、脱臭装置１０内の送風ファン１３の駆動によって、吸気開口１４から玄関１内の臭気を含んだ空気が吸い込まれる。
【００４３】
吸気開口１４から吸い込まれた臭気を含んだ空気は、まず、この吸気開口１４に取り付けられたガラリ１４ａを覆うプレフィルタ１２Ａを通過する。このとき、このプレフィルタ１２Ａに臭気が吸着され、脱臭される。
【００４４】
そして、プレフィルタ１２Ａを通過した空気及びここで吸着されなかった臭気は、装置本体１１内の風路１６に流れ込み、この風路１６をふさぐ脱臭フィルタ１２を通過する。そして、脱臭フィルタ１２によって臭気が吸着され、脱臭される。
【００４５】
このように、吸気開口１４を覆うプレフィルタ１２Ａによって、臭気が吸気開口１４を通過する際にこのプレフィルタ１２Ａによって脱臭されてから、脱臭装置１０内部の脱臭フィルタ１２によって再度脱臭されることとなる。つまり、脱臭装置１０に吸い込まれた空気を二回脱臭することができる。
【００４６】
これにより、脱臭装置１０の脱臭力を強化することが可能となり、玄関１内の臭気を強力に脱臭することができる。
【００４７】
また、ここでは、脱臭フィルタ１２は、活性炭フィルタによって形成されているので、高い吸着率で履物Ｈから生じる臭気を脱臭することができ、脱臭力の強化をさらに図ることができる。また、脱臭フィルタ１２のメンテナンスを容易に行なうこともでき、ランニングコストを抑制することが可能となる。
【００４８】
また、この活性炭フィルタにおいて、履物臭に効果の高い有機ガスを主に吸着するタイプのものを使用すれば、さらに脱臭効果を高めることができる。
【００４９】
そして、脱臭フィルタ１２によって臭気が脱臭された空気は、風路１６を通ってファン室１３ａの図示しない開口から送風ファン１３内に吸い込まれ、この送風ファン１３の図示しない排出口から排出され、排気開口１５から玄関１内へと排出される。
【００５０】
このとき、風路１６は、ほぼ水平方向に沿って隣接配置された吸気開口１４と排気開口１５とを連通しており、吸気開口１４から吸い込まれた空気は、図２（ｂ）に示すように、上がり框４の下側をほぼ水平方向に移動し、排気開口１５から排出されるようになっている。
【００５１】
そのため、脱臭装置１０の高さを低く設定することができ、この脱臭装置１０を玄関土間２と上がり框４との間に生じる空間に十分納めることが可能となる。
【００５２】
また、玄関１内の空気を送風ファン１３によって積極的に吸い込んで脱臭することができるので、玄関１内に空気が滞留することがなくなる。そのため、玄関１内の空気を効率よく移動させながら脱臭することができ、脱臭効率をさらに向上させることが可能となる。
【００５３】
さらに、この脱臭装置１０は、上がり框４の下側に設けられたので、図２（ａ）に示すように、玄関土間２に置かれた履物Ｈと、脱臭装置１０の吸気開口１４及び排気開口１５とを、ほぼ水平（同じ高さ）に位置させることができる。
【００５４】
これにより、履物Ｈから生じた臭気が玄関１内に拡散する前に脱臭装置１０内に吸い込んで、効率よく脱臭することができる。
【００５５】
また、吸気開口１４及び排気開口１５が玄関土間２に臨んでいるので、臭気の発生源である履物Ｈ近傍に脱臭装置１０が位置することとなり、玄関土間２にある履物Ｈから生じる臭気をすばやく脱臭することができて、脱臭効率の向上を図ることができる。
【００５６】
なお、一般的な家庭での靴の数（約３〜１０足）の履物Ｈが玄関土間２に置かれているときに、脱臭装置１０を玄関１の上がり框４の下側に設けた場合と、脱臭装置１０を設けなかった場合における玄関１内の臭気を比較する実験を行なった。
【００５７】
この実験における条件は、脱臭フィルタ１２として有機ガス吸着タイプの活性炭フィルタを使用し、この脱臭フィルタ１２によって閉塞された風路１６の面積を１ｍ２とし、送風ファン１３の風量を１００ｍ３／ｈとした。
【００５８】
このとき、脱臭装置１０がある場合では、８０％以上の人が臭気を容認することができる、つまり臭いが気にならないとする結果になったのに対し、脱臭装置１０がない場合では、約７０％の人が臭気を容認することができない、つまり臭いが気になるとする結果となった。
【００５９】
このように、脱臭装置１０を上がり框４の下側に設けたことで、玄関土間２に置かれた履物Ｈから生じる臭気を十分に脱臭することができ、玄関１内の悪臭の発生を抑制することが可能となる。
【００６０】
さらに、脱臭装置１０を上がり框４の下側に配置することで、脱臭装置１０を目立たなくすることができ、玄関１のデザインの自由度を阻害することがなくなる。
【００６１】
そして、ここでは、脱臭装置１０の吸気開口１４及び排気開口１５を上がり框４の玄関土間２側端部３ａよりも内側に位置させたので、上がり框４が庇状に脱臭装置１０の上方に突出し、吸気開口１４及び排気開口１５を隠すことができる。
【００６２】
これにより、脱臭装置１０をさらに目立たなくすることができ、玄関１の外観品質の向上を図ることができる。
【図面の簡単な説明】
【００６３】
【図１】この発明に係る玄関の脱臭構造を示した斜視図である。
【図２】（ａ）は図１に示す玄関の側面図であり、（ｂ）は図１に示す玄関の平面図である。
【図３】脱臭装置の一部を破断して模式的に示す斜視図である。
【符号の説明】
【００６４】
１          玄関
２          玄関土間
３          上がり口
３ａ        端部
４          上がり框
１０        脱臭装置
１２        脱臭部材（脱臭フィルタ）
１４        吸気口（吸気開口）
１５        排気口（排気開口）
【図１】
2007092288.tif 000003
【図２】
2007092288.tif 000004
【図３】
2007092288.tif 000005